(57)【特許請求の範囲】
【請求項１】
テープ材と、
前記テープ材を収納し、側面に前記テープ材の取出し口が設けられたケースと、
前記ケース内に設けられ、前記テープ材を巻き取る巻取り部と、
前記ケース内に設けられ、前記テープ材を固定するロック部と、
前記テープ材の一端及び前記ケースの外側面に設けられたリングとを備え、
前記ロック部は、
巻取りボタンとテープリールとを備え、
前記巻取りボタンは、棒形状を有し、その側面に係止部材が設けられるとともに、その頭部が前記ケースの外部に露出し、
前記テープリールには、内側面に前記係止部材を係止するロック部材が設けられるとともに、前記テープ材の他端が取り付けられ、
外部から力が加えられていない状態においては、前記係止部材と前記ロック部材とは係止された状態にあり、
前記巻取り部は、前記テープリールに前記テープ材を巻き取る方向の回転力を付与するバネ材を備え、
前記巻取りボタンの前記頭部が押下された場合に、前記係止部材と前記ロック部材との係止が外れ、前記巻取り部により前記テープ材が前記ケース内に巻き取られ、
前記巻取りボタンを収容する巻取りボタン収容容器を備え、前記巻取りボタン収容容器の側面には前記係止部材が挿通状態で上下運動可能なスリットが設けられ、前記巻取りボタンと前記巻取りボタン収容容器の底面との間には、前記巻取りボタンを前記巻取りボタン収容容器の底面とは反対側の方向に付勢する弾性部材が設けられていることを特徴とする巻取り式テープ装置。
【請求項２】
前記テープ材が前記テープリールに巻き取られて前記ケース内に収容された状態においては、前記ケースの外側面に２つの前記リングが配置されることを特徴とする請求項１に記載の巻取り式テープ装置。
【請求項３】
前記ケースは、角柱形状の上部部材と下部部材とを備え、前記上部部材と前記下部部材との対向する角部のうち少なくとも１つの角部には前記上部部材と前記下部部材を連結する連結部が設けられていることを特徴とする請求項１または２に記載の巻取り式テープ装置。
【発明の詳細な説明】
【技術分野】
【０００１】
本発明は、各種工事における作業エリア、資材置き場等への車両や歩行者の侵入防止又は誘導を図るために、錐型コーン間に設置される巻取り式テープ装置に関する。
【背景技術】
【０００２】
従来、各種工事における作業エリア、資材置き場等への車両や歩行者の侵入防止又は誘導を図るために、錐型コーン間にコーンバーが設置されていた。コーンバーとは、長尺の円筒状のバー本体の両端に、錐型コーンに係止する円形リングが接続されたバーである。
【０００３】
しかしながら、このようなコーンバーは長さが固定されており、使用状況に合わせて長さを調整することができなかった。また、コーンバーは長くて重いため、保管、運搬、設置作業等が煩雑であるという問題点があった。
【０００４】
このような問題点を解決するために、例えば、特許文献１には、ベルトの両端に円形リングを取り付け、ベルトに取り付けたアジャスターによりベルトの長さを調整できるようにしたバリケード用ベルト構造体が開示されている。
【０００５】
また、特許文献２には、屈曲可能なテープ材を巻き込むように付勢して収納したケースの外面に掛け止め具を設けるとともに、テープ材の先端にはテープ材の先端付近を係止してループ部を形成することができるバックルを設けた仕切り装置が開示されている。
【先行技術文献】
【特許文献】
【０００６】
【特許文献１】特開２０１０−５３６６６号公報
【特許文献２】特開平５−５９７０８号公報
【発明の概要】
【発明が解決しようとする課題】
【０００７】
しかしながら、特許文献１に記載されたバリケード用ベルト構造体は、アジャスターでベルトの長さを調整できるものの、ベルトの長さを最も短く調整したとしてもベルトを折り畳んだり丸めたりしないとコンパクトにならないため、運搬や保管に不便である。
【０００８】
また、特許文献２に記載された仕切り装置を用いた場合には、テープ材の巻き取りやテープ材の固定状態を制御する機能が弱いため、風等でケース内のテープ材が外に引き出されて弛んでしまったり、逆にテープ材がケース内に巻き取られ、錐型コーンが引き寄せられて倒れてしまうという問題点があった。
【０００９】
本発明は、上述した問題点を解決するためになされたものであり、テープ材を任意の長さに調整して強固に固定できる巻取り式テープ装置を提供することを目的とする。
【００１０】
また、テープ材をケース内に簡単に巻き取ることができる巻取り式テープ巻取装置を提供することを目的とする。
また、運搬や保管を容易に行うことができる巻取り式テープ装置を提供することを目的とする。
【課題を解決するための手段】
【００１１】
上記課題の少なくとも１つを達成するために、本発明に係る巻取り式テープ装置は、テープ材と、前記テープ材を収納し、側面に前記テープ材の取出し口が設けられたケースと、前記ケース内に設けられ、前記テープ材を巻き取る巻取り部と、前記ケース内に設けられ、前記テープ材を固定するロック部と、前記テープ材の一端及び前記ケースの外側面に設けられたリングとを備え、前記ロック部は、巻取りボタンとテープリールとを備え、前記巻取りボタンは、棒形状を有し、その側面に係止部材が設けられるとともに、その頭部が前記ケースの外部に露出し、前記テープリールには、内側面に前記係止部材を係止するロック部材が設けられるとともに、前記テープ材の他端が取り付けられ、外部から力が加えられていない状態においては、前記係止部材と前記ロック部材とは係止された状態にあり、前記巻取り部は、前記テープリールに前記テープ材を巻き取る方向の回転力を付与するバネ材を備え、前記巻取りボタンの前記頭部が押下された場合に、前記係止部材と前記ロック部材との係止が外れ、前記巻取り部により前記テープ材が前記ケース内に巻き取られ、前記巻取りボタンを収容する巻取りボタン収容容器を備え、前記巻取りボタン収容容器の側面には前記係止部材が挿通状態で上下運動可能なスリットが設けられ、前記巻取りボタンと前記巻取りボタン収容容器の底面との間には、前記巻取りボタンを前記巻取りボタン収容容器の底面とは反対側の方向に付勢する弾性部材が設けられていることを特徴とする。
【００１２】
本発明によれば、外部から力が加えられていない状態においては、テープ材はロック部材と係止部材とが係止した状態で固定されているが、巻取りボタンが押下されると、ロック部材と係止部材との係止が外れ、巻取り部によりテープ材がケース内に巻き取られるため、テープ材をケース内に簡単に巻き取ったり、テープ材を任意の長さに調整して、強固に固定することができる。
【００１３】
上記構成において、前記テープ材が前記テープリールに巻き取られて前記ケース内に収容された状態においては、前記ケースの外側面に２つの前記リングが配置されることを特徴とする。
【００１４】
本発明によれば、テープ材がケース内に収容された場合、ケース外には２つのリングのみが存在することとなるため、巻取り式テープ装置の運搬や保管を容易に行うことができる。
【００１５】
上記構成において、前記巻取りボタンを収容する巻取りボタン収容容器を備え、前記巻取りボタン収容容器の側面には前記係止部材が挿通状態で上下運動可能なスリットが設けられ、前記巻取りボタンと前記巻取りボタン収容容器の底面との間には、前記巻取りボタンを前記巻取りボタン収容容器の底面とは反対側の方向に付勢する弾性部材が設けられていることを特徴とする。
【００１６】
本発明によれば、巻取りボタンを巻取りボタン収容容器に収容することで、巻取りボタンの付勢機構を精密に構成することができる。
【００１７】
上記構成において、前記ケースは、角柱形状の上部部材と下部部材とを備え、前記上部部材と前記下部部材との対向する角部のうち少なくとも１つの角部には前記上部部材と前記下部部材を連結する連結部が設けられていることを特徴とする。
【００１８】
本発明によれば、上部部材と下部部材との対向する角部に連結部を設けることで、ケース内の空間にテープリール等の部材を配置する空間を十分確保することができる。
【発明の効果】
【００１９】
本発明によれば、外部から力が加えられていない状態においては、テープ材はロック部材と係止部材とが係止した状態で固定されているが、巻取りボタンが押下されると、ロック部材と係止部材との係止が外れ、巻取り部によりテープ材がケース内に巻き取られるため、テープ材をケース内に簡単に巻き取ったり、テープ材を任意の長さに調整して、強固に固定することができる。
【図面の簡単な説明】
【００２０】
【図１】本発明の実施形態に係る巻取り式テープ装置の斜視図である。
【図２】同実施形態に係る巻取り式テープ装置のテープ材が完全に巻き取られてケース内に収容された状態の巻取り式テープ装置の平面図である。
【図３】図２に示す巻取り式テープ装置のＡ−Ａ’線における断面図である。
【図４】図２に示す巻取り式テープ装置１を矢印Ｂ方向から見た側面図である。
【図５】ケースの上部部材を取り除いた状態の巻取り式テープ装置の斜視図である。
【図６】図５に示す巻取り式テープ装置の平面図である。
【図７】ケースの上部部材及び巻取りボタンを取り除いた状態の巻取り式テープ装置の斜視図である。
【図８】巻取りボタンが押下されていない状態におけるケースの上部部材の斜視図である。
【図９】巻取ボタンが押下された状態におけるケースの上部部材の斜視図である。
【図１０】同実施形態に係る巻取り式テープ装置を２つの錐型コーンに設置する手順を示す図である。
【図１１】同実施形態に係る巻取り式テープ装置による３角形の区画柵の設置例を示す図である。
【発明を実施するための形態】
【００２１】
次に、本発明を実施するための形態について、図面を参照して詳細に説明する。
図１は、本発明の実施形態に係る巻取り式テープ装置１の斜視図である。同図に示すように、巻取り式テープ装置１は、長尺なテープ材１０と、当該テープ材１０を内部に収納する筒状のケース２０とを備えている。テープ材１０は、例えば塩化ビニールで形成されており、表面に文字や図形を表示したり蛍光塗料を塗布することができる。ケース２０は、プラスチック等の合成樹脂で形成され、上部部材２０ａと下部部材２０ｂで構成される。ケース２０の側面には、テープ材１０の取出し口２０２が設けられている。当該ケース２０の取出し口２０２と反対側の側面には、錐型コーンに係止するための円形リング３０が取り付けられている。ケース２０の上面中央部には六角形状の開口２０４が設けられており、当該開口２０４からは、当該開口２０４と同形状の巻取りボタン５０の頭部が露出している。
【００２２】
テープ材１０の一端には、錐型コーンに係止するための円形リング４０が取り付けられている。また、テープ材１０の他端は、ケース２０内に設けられたテープリール（不図示）に接続されている。
【００２３】
図２は、巻取り式テープ装置１のテープ材１０が完全に巻き取られてケース２０内に収容された状態の巻取り式テープ装置１の平面図であり、図３は、図２に示す巻取り式テープ装置１のＡ−Ａ’線における断面図であり、図４は、図２に示す巻取り式テープ装置１を矢印Ｂ方向から見た側面図である。
【００２４】
また、図５は、ケース２０の上部部材２０ａを取り除いた状態の巻取り式テープ装置１の斜視図であり、図６は、図５に示す巻取り式テープ装置１の平面図であり、図７は、ケース２０の上部部材２０ａ及び巻取りボタン５０を取り除いた状態の巻取り式テープ装置１の斜視図である。
【００２５】
また、図８は巻取りボタン５０が押下されていない状態におけるケース２０の上部部材２０ａを斜め下方から見た斜視図であり、図９は巻取りボタン５０が押下された状態におけるケース２０の上部部材２０ａを斜め下方から見た斜視図である。
【００２６】
テープ材１０がケース２０内に収容された状態においては、図２に示すように、ケース２０の対向する外側面それぞれに円形リング３０、４０が配置される。この状態では、テープ材１０はケース２０の外部に露出していないため、巻取り式テープ装置１を運搬する際に、外部に露出したテープ材１０を折り畳んだりケース２０に巻きつけたりする必要がない。作業者は２つの円形リング３０、４０の何れか一方を手で握って、巻取り式テープ装置１を容易に運搬することができる。また、巻取り式テープ装置１を保管する場合は、段ボール等に巻取り式テープ装置１を整然と並べて、コンパクトに保管することができる。
【００２７】
また、本実施形態では、図２に示すように、ケース２０の平面形状は略六角形状を有している。また、本実施形態では、図５、図６、図８、図９等に示すように、上部部材２０ａと下部部材２０ｂとの対向する角部に、上部部材２０ａと下部部材２０ｂとを連結するためのネジやネジ穴等の連結部２０ｃを設けている。ケース２０の平面形状を略六角形状とすることにより、角部に連結部２０ｃを設けたとしても、ケース２０内の空間の平面形状を略円形に保つことができる。したがって、ケース２０内に各種部材を配置する空間を十分確保することが可能となる。なお、ケース２０の平面形状は六角形状に限定されることはなく、四角形状であっても五角形状であってもよい。また、円形であってもよい。
【００２８】
ケース２０内には、ケース２０よりも径が小さい円筒形状のテープリール６０と、当該テープリール６０の上部中央に配置された巻取りボタン５０と、テープリール６０の底部に配置されたテープ巻きバネ７０と、テープリール６０の底面中央部から延び、テープ巻きバネ７０の一端を固定するバネ心棒６０２とが設けられている。
【００２９】
ここで、テープリール６０と巻取りボタン５０が、テープ材１０を固定するロック部を構成し、テープ巻きバネ７０がテープ材１０を巻き取る巻取り部を構成する。
【００３０】
巻取りボタン５０は、図５に示すように頭部が六角柱形状、胴体部が棒形状を有している。巻取りボタン５０の頭部は、ケース２０の開口２０４に係合し、巻取りボタン５０が回転しないように構成される。巻取りボタン５０の胴体部の側面からは、放射状に４本の係止部材５０２が突出している。
【００３１】
巻取りボタン５０は巻取りボタン収容容器２０８に収容されている。図５、図８、図９に示すように、巻取りボタン収容容器２０８の側面には、上端から下部付近まで切り欠かれた４つのスリット２０８ａが等間隔に配置されている。巻取りボタン５０を巻取りボタン収容容器２０８に収容した状態では、４本の係止部材５０２それぞれは４本のスリット２０８ａに挿通され、スリット２０８ａに沿って上下運動可能である。巻取りボタン５０と巻取りボタン収容容器２０８の底面との間には、図３に示すように、巻取りボタン５０を上方（巻取りボタン収容容器２０８の底面とは反対側の方向）へ付勢する巻取りボタン付勢バネ２０８ｂが設けられている。巻取りボタン収容容器２０８の上端部は、上部部材２０ａの裏面中央部に接合されている。このように、巻取りボタン５０を巻取りボタン収容容器２０８に収容することで、巻取りボタン５０の付勢機構を精密に構成することができる。
【００３２】
図８には巻取りボタン５０が押下されていない状態における係止部材５０２の位置を示し、図９には巻取りボタン５０が押下された状態における係止部材５０２の位置を示す。図８に示す巻取りボタン５０が押下されていない状態では、巻取りボタン５０は巻取りボタン付勢バネ２０８ｂで付勢されて、係止部材５０２はスリット２０８ａの下端よりも上側に位置しているが、図９に示す巻取りボタン５０が押下された状態では、巻取りボタン付勢バネ２０８ｂが縮むことにより、係止部材５０２はスリット２０８ａの下端と接触する位置まで降下する。
【００３３】
テープリール６０の側面には図５に示すテープ装着部６０４が設けられている。当該テープ装着部６０４にテープ材１０の端部が取り付けられる。当該テープ装着部６０４を起点として、テープ材１０がテープリール６０の外周に巻かれることとなる。
【００３４】
テープリール６０の上部内側面には、４枚のロック部材６０６が等間隔に設けられている。各ロック部材６０６は、図６に示すように、長さが異なり且つ直角に交わる長辺６０６ａと短辺６０６ｂを有している。
【００３５】
テープリール６０が右回りに回転した場合、ロック部材６０６の短辺６０６ｂが係止部材５０２に接触して、回転が止められる。一方、テープリール６０が左回りに回転した場合、ロック部材６０６の長辺６０６ａが係止部材５０２に接触し、大きな力でテープ材１０が引っ張られない限り、テープリール６０の回転が止められる。これにより、ケース２０から外部に露出しているテープ材１０の長さを一定に保つことができる。
【００３６】
これに対して、テープ材１０が人間の力等の大きな力で引っ張られると、テープリール６０は左回りに回転し、各ロック部材６０６の長辺６０６ａ側が各係止部材５０２と接触する。各ロック部材６０６の当該接触した面（不図示）はケース２０の中心方向にいくほど薄くなる三角形状を有しているため、各係止部材５０２は、巻取りボタン付勢バネ２０８ｂが縮むことにより各ロック部材６０６の下面に移動し、各ロック部材６０６の下面が各係止部材５０２の上側と接触しつつ、テープリール６０が左回りに回転する。
【００３７】
テープ材１０に引っ張る力が加えられなくなると、各ロック部材６０６は各係止部材５０２と接触して停止する。この状態では、上述した通り、テープリール６０は右回りに回転することはないし、人の力等の強い引っ張り力が働かない限り左回りに回転することもなく、ケース２０から外部に露出しているテープ材１０の長さを一定に保つことができる。
【００３８】
なお、係止部材５０２及びロック部材６０６の数は４つに限定されることはなく、任意の数とすることができる。また、上述したロック部によるテープ材１０のロック機構は、公知のラチェット機構を利用することもできる。
【００３９】
テープリール６０の底部に設けられているテープ巻きバネ７０は、ステンレス製の渦巻き状のバネであり、テープ巻きバネ７０の中心部の一端はバネ心棒６０２に固定され、テープ巻きバネ７０の外周部の他端はテープリール６０に固定されている。テープ巻きバネ７０は巻取り部を構成し、テープリール６０にテープ材１０を巻き取る方向の回転力を付与する。
【００４０】
巻取りボタン５０やテープ材１０に外部から力が加えられていないときは、ロック部材６０６と係止部材５０２とが係止されており、テープ材１０がケース２０から露出している部分の長さは一定である。この状態で巻取りボタン５０が押下されると、係止部材５０２が下方に移動して、ロック部材６０６と係止部材５０２との係止が外れ、テープ巻きバネ７０の弾性力によりテープリール６０がテープ材１０を巻き取る方向に回転し、テープ材１０がケース２０内に巻き取られて、図２に示す状態となる。
【００４１】
以上のように、４枚のロック部材６０６それぞれは、巻取りボタン５０やテープ材１０に対して外部から力が加えられていないときは、４本の係止部材５０２と係止しているため、テープ材１０が巻き戻されたり、引き出されたりしないようにテープ材１０を固定することができる。また、テープ材１０を引っ張ればテープ材１０を引き出すことができ、巻取りボタン５０を押下することでテープ材１０を巻き戻すことができる。したがって、テープ材１０を任意の長さに調整して、調整した長さで固定することができ、また、収納時には容易にテープ材１０をケース２０内に収めることができる。
【００４２】
次に、図１０を参照して、巻取り式テープ装置１を２つの錐型コーン１００Ａ、１００Ｂに設置する手順を説明する。
まず、一方の錐型コーン１００Ａに、巻取り式テープ装置１の円形リング４０をかける（工程１）。
【００４３】
作業員は、一方の錐型コーン１００Ａに円形リング４０をかけた状態で、ケース２０を手で引きながら移動する（工程２）。
作業員は、他方の錐型コーン１００Ｂが配置された位置を若干通り過ぎる位置まで移動したら、ケース２０に取り付けられた円形リング３０を他方の錐型コーン１００Ｂにかける。この状態ではテープ材１０は弛んでいるため、作業者は巻取りボタン５０を断続的に押下して、弛みをとる（工程３）。
【００４４】
その後、他方の錐型コーン１００Ｂを移動して、テープ材１０の張り具合を微調整する（工程４）。以上により、巻取り式テープ装置１の設置が完了する。
【００４５】
なお、図１１に示すように、上記のように設置した巻取り式テープ装置１のテープ材１０の中央部にさらに１つの錐型コーン１００Ｃを追加設置して、錐型コーン１００Ａ、１００Ｂ、１００Ｃで形成される３角形状の区画柵を設置することも可能である。巻取り式テープ装置１はテープ材１０の長さを自由に調整できるため、このように錐型コーンの配置を優先した区画柵の設置が可能となる。
【００４６】
以上説明したように、巻取り式テープ装置１は、巻取り部及びロック部により、テープ材１０を任意の長さに調整して強固に固定できるとともに、テープ材１０をケース２０内に簡単に巻き取ることができる。
【００４７】
また、巻取り式テープ装置１は、テープ材１０がケース２０内に収容された状態においては非常にコンパクトになるため、持ち運びが容易であり、設置や運搬時の煩雑さを解消することができる。また、コンパクトであるため収納性にも優れている。また、設置及び除去作業が容易であり、設置作業時に第三者と接触するリスクも低減することができる。
【００４８】
また、テープ材１０の表面に文字や記号を記載する場合、円筒状のコーンバーに比較して視認性がよい。また、テープ材１０の幅を太くすることにより、持ち運びに影響を与えることなく視認性を向上させることができる。
【００４９】
また、上述した巻取ロック機構の採用により、設置時及び設置後に、テープ材１０の巻き戻りによる錐型コーンの転倒を防止することができる。
【符号の説明】
【００５０】
１………巻取り式テープ装置、１０………テープ材、２０………ケース、２０ａ………上部部材、２０ｂ………下部部材、２０ｃ………連結部、３０、４０………円形リング、５０………巻取りボタン、６０………テープリール、７０………テープ巻きバネ、２０４………開口、２０８………巻取りボタン収容容器、２０８ａ………スリット、２０８ｂ………巻取りボタン付勢バネ、５０２………係止部材、６０２………バネ心棒、６０４………テープ装着部、６０６………ロック部材、６０６ａ………長辺、６０６ｂ………短辺。
【図１】
0005794828.tif 000002
【図２】
0005794828.tif 000003
【図３】
0005794828.tif 000004
【図４】
0005794828.tif 000005
【図５】
0005794828.tif 000006
【図６】
0005794828.tif 000007
【図７】
0005794828.tif 000008
【図８】
0005794828.tif 000009
【図９】
0005794828.tif 000010
【図１０】
0005794828.tif 000011
【図１１】
0005794828.tif 000012